(57)【要約】【課題】シャッターケースのまぐさの構成に特徴を持たすことで、防火性能が向上させる。【解決手段】シャッターケース１の下端に位置する内まぐさ６の底面６０の前端は、シャッターカーテン移動路に対向して開口幅方向に延びており、内まぐさ６の底面６０の前端は、当該前端の中央部位が、当該前端の両端部位よりも後側に退避するように平面視凹状に形成されている。内まぐさ６の底面６０は、中央の幅狭部６２と、両端の幅広部６１と、からなり、当該底面６０の前端は、幅狭部６２の前端６２０と、幅広部６１の前端６１０と、から構成されている。【選択図】図５
2014001537.tif 000002
【特許請求の範囲】
【請求項１】
シャッターケースの下端に位置するまぐさの前端は、シャッターカーテン移動路に対向して開口幅方向に延びており、
前記まぐさの前端は、当該前端の中央部位が、当該前端の両端部位よりも後側に退避するように平面視凹状に形成されている、シャッターケースのまぐさ構造。
【請求項２】
前記まぐさの底面の前端には立ち上がり片が形成されており、前記前端の中央部位の立ち上がり片の高さは、前記前端の両端部位の立ち上がり片の高さよりも高い、請求項１に記載のシャッターケースのまぐさ構造。
【請求項３】
開口部上方に設けたシャッターケースと、
シャッターケース内に設けられ、開口幅方向に延びる巻取シャフトと、
シャッターケース内において、開口幅方向の一側に寄って配置された開閉機と、
上端が巻取シャフトに連結されており、幅方向両端部が開口部左右のガイドレールに案内されながら昇降移動するシャッターカーテンと、
を備え、
シャッターケースの下端に位置するまぐさの前端は、シャッターカーテン移動路に対向して開口幅方向に延びており、
前記まぐさの前端は、当該前端の中央部位が、当該前端の両端部位よりも後側に退避するように平面視凹状に形成されている、
シャッター装置。
【請求項４】
前記まぐさの底面は、中央の幅狭部と、両端の幅広部と、からなり、前記幅狭部の前端とシャッター芯との距離Ｄ２は、前記幅広部の前端とシャッター芯との隙間Ｄ１よりも大きく、
前記開閉機と同じ側の幅広部の開口幅方向の長さＬ１は、前記開閉機の長さよりも大きい、
請求項３に記載のシャッター装置。
【発明の詳細な説明】
【技術分野】
【０００１】
本発明は、シャッターケースのまぐさ構造、及び、当該構造を備えたシャッター装置に関するものである。
【背景技術】
【０００２】
シャッターケースの下端には、ケース下面と内まぐさとの間に開口幅方向に延びる溝部が形成されており、かかる溝部を通ってシャッターカーテンが昇降移動するようになっている。溝部を通って昇降移動するシャッターカーテンと内まぐさの前端との間には、シャッターカーテンの昇降動作時にシャッターカーテンが内まぐさに接触することがないようなクリアランス（隙間）が設けてある（特許文献１の図１、並びに、本願の図８）。
【０００３】
シャッターに防火性能を付与した防火シャッターを開口部に設けた場合に、シャッターカーテンと内まぐさの前端との隙間が大きいと、当該防火シャッターが屋外で発生した火災を遮炎する時に、シャッターケース内を回って、内まぐさとシャッターカーテンとの隙間から屋内に火が出る可能性がある。また、シャッターケース内で可燃物（開閉機の要素等）が燃焼した際に、シャッターケース内を回って内まぐさ６´とシャッターカーテンの隙間から屋内に火が出る可能性がある（図８参照）。また、シャッターケース内の可燃物（ケース内面に貼着したシート状の制振部材等）が、内まぐさとシャッターカーテンの隙間から室内に落下する可能性がある。
【特許文献１】特開２００３−１９３７６９
【発明の開示】
【発明が解決しようとする課題】
【０００４】
本発明は、シャッターケースのまぐさの構成に特徴を持たすことで、防火性能が向上されたシャッターケース及びシャッター装置を提供することを目的とする。
【課題を解決するための手段】
【０００５】
かかる課題を解決するべく本発明が採用した技術手段は、
シャッターケースの下端に位置するまぐさの前端は、シャッターカーテン移動路に対向して開口幅方向に延びており、
前記まぐさの前端は、当該前端の中央部位が、当該前端の両端部位よりも後側に退避するように平面視凹状に形成されている、シャッターケースのまぐさ構造、である。
１つの態様では、前記まぐさの底面は、中央の幅狭部と、両端の幅広部と、からなり、当該底面の前端は、前記幅狭部の前端と、前記幅広部の前端と、から構成されている。
後述する実施形態では、前記凹状の前端は、前記幅狭部の前端と前記幅広部の前端とから段状となっているが、凹状の前端は、平面視弧状ないし弓状の連続状の端縁であってもよい。
【０００６】
１つの態様では、前記まぐさの底面の前端には立ち上がり片が形成されており、前記前端の中央部位の立ち上がり片の高さは、前記前端の両端部位の立ち上がり片の高さよりも高い。
【０００７】
本発明が採用した他の技術手段は、
開口部上方に設けたシャッターケースと、
シャッターケース内に設けられ、開口幅方向に延びる巻取シャフトと、
シャッターケース内において、開口幅方向の一側に寄って配置された開閉機と、
上端が巻取シャフトに連結されており、幅方向両端部が開口部左右のガイドレールに案内されながら昇降移動するシャッターカーテンと、
を備え、
シャッターケースの下端に位置するまぐさの前端は、シャッターカーテン移動路に対向して開口幅方向に延びており、
前記まぐさの前端は、当該前端の中央部位が、当該前端の両端部位よりも後側に退避するように平面視凹状に形成されている、
シャッター装置、である。
【０００８】
１つの態様では、前記まぐさの底面は、中央の幅狭部と、両端の幅広部と、からなり、前記幅狭部の前端とシャッター芯との距離Ｄ２は、前記幅広部の前端とシャッター芯との隙間Ｄ１よりも大きく、
前記開閉機と同じ側の幅広部の開口幅方向の長さＬ１は、前記開閉機の長さよりも大きい。
【０００９】
１つの態様では、前記巻取シャフトは、当該巻取シャフトの構成要素を内装する外筒を備えている。
【発明の効果】
【００１０】
本発明において、まぐさの前端を、当該前端の中央部位が、当該前端の両端部位よりも後側に退避するように平面視凹状に形成したことによって、シャッターカーテンの昇降動作時にシャッターカーテンとまぐさとの接触を防止するものでありながら、火炎が発生し易い開口幅方向両端部のクリアランスを小さくしたので、当該クリアランスからの屋内側に火が出たり、部品（例えば、熱によりケース内面から剥がれた制振部材）が落下したりすることを可及的に防止することができる。
【図面の簡単な説明】
【００１１】
【図１】窓シャッターの概略側面図である。
【図２】窓シャッターの部分平面図である。
【図３】内まぐさの（Ａ）平面図、（Ｂ）屋外側から見た正面図、（Ｃ）側面図、である。
【図４】内まぐさの斜視図である。
【図５】内まぐさとシャッターカーテンの関係を示す窓シャッターの平面図であり、（Ａ）シャッターカーテンの設計上の位置、（Ｂ）シャッターカーテンが屋内側に膨出した状態、を示している。
【図６】巻取シャフトの正面図である。
【図７】窓シャッターの部分縦断面図である。
【図８】従来のシャッターケースの作用を説明する図である。
【発明を実施するための形態】
【００１２】
図１、図２に示すように、窓シャッター装置は、窓開口部の上方に位置して、外壁Ｗに持ち出し状に取り付けられたシャッターケース１と、窓開口部の幅方向両側に位置して外壁Ｗに対して持ち出した位置に設けられた左右のガイドレール２と、外壁Ｗに取り付けられており、左右のガイドレール２を持ち出し状に支持する支持枠２０と、シャッターケース１内に形成された収納部に設けた巻取シャフト３と、上端が巻取シャフト３に連結されており、巻取シャフト３に巻き取られ／繰り出されることで、幅方向両端部がガイドレール２に案内されながら昇降して窓開口部の室外側部位を開閉するシャッターカーテン４と、窓開口部の下方に位置して、外壁Ｗに持ち出し状に取り付けられた下枠（水切板）５と、を備えている。なお、窓シャッターは、本発明が適用される好適な実施形態の一つであって、本発明は窓シャッターに限定されるものではない。
【００１３】
シャッターケース１は、巻取シャフト３の上側の空間を覆うケース上面板１０と、巻取シャフト３の前側の空間を覆うケース前面板１１と、ケース前面板１１の下端から後方に延びるケース下面板１２と、シャッターケース１の後側の下面を形成する内まぐさ６と、を備えている。ケース下面板１２の後端には開口幅方向に延びる長尺部材１２０が設けてあり、長尺部材１２０の立ち上がり片と内まぐさ６の前端の立ち上がり片との間には、開口幅方向に延びる溝部Ｇが形成されている。ガイドレール２の上端は当該溝部Ｇの開口幅方向両端部に位置しており、当該溝部Ｇはシャッターカーテン４の移動路となっている。図示の態様では、シャッターケース１内の巻取シャフト３の後側の周面がかかる溝部Ｇの上方に位置しており、シャッターカーテン４は、巻取シャフト３の後側の周面から巻き取られ、繰り出される。
【００１４】
巻取シャフト３は開口幅方向に延びており、長さ方向の両端部は、建物躯体Ｗから持ち出し状に延びる左右のブラケット７の面部にそれぞれ支持されている（図５では、巻取シャフト３の両端部の支持部は省略されている。）。図６に示すように、巻取シャフト３は、内部シャフト３０と、内部シャフト３０に外装されたホイール３１、中間ホイール３２、スプリング３３と、内部シャフト３０及び内部シャフト３０に外装されたホイール３１、中間ホイール３２、スプリング３３を内装する外筒３４と、を備えている。
【００１５】
シャッターケース１内において、ケース下面板１２の上方には、開口幅方向の一側に寄った部位に開閉機Ｍが配置されている。開閉機Ｍは、巻取シャフト３の長さ方向の一端側部位と離間対向しており、開閉機Ｍの出力を巻取シャフト３に伝動することで、巻取シャフト３を回転駆動するようになっている。
【００１６】
シャッターケース１のケース上面板１０の内面には、雨滴等による不快音の発生を抑制するために制振部材（図示せず）を設けてもよい。制振部材は、例えば、樹脂製ゴムとアルミ板材とを貼り合わせたシート体であり、高温の影響を受け易い樹脂製要素を含んでいる。制振部材は、例えば、方形状のシートからなり、シャッターケース１の幅方向に間隔を存して複数枚貼り付けられる。シャッターケース１が火災時の高温に晒されると、シート状の制振部材が軟化してケース上面板１０の下面から剥がれてシャッターケース１の下部へ落下するおそれがある。シャッターケースの下部に落下した制振部材が発火した時には、シャッターケースの下部の隙間からケース外に火炎が出たり、当該隙間から室内に落下したりするおそれがある。
【００１７】
本明細書において、図２に示すように、シャッターカーテン４が開口幅方向に平面視直線状に納まっている状態（設計上のスラット位置）のスラット中心線をシャッター芯Ｓと言う。換言すると、シャッター芯Ｓは、左右のガイドレール２の溝部の屋内外方向の中心を通る垂直面である（図７参照）。
【００１８】
図３、図４に示すように、内まぐさ６は、開口幅方向に延びる水平状の底面６０を備えており、底面６０がシャッターケース１の後方の下面を形成している。内まぐさ６の底面６０の前端は、シャッターカーテン移動路に対向して開口幅方向（溝部Ｇの長さ方向）に延びている。内まぐさ６の底面６０の前端は、当該前端の中央部位が、当該前端の両端部位よりも後側に退避するように平面視凹状に形成されており、前記前端の中央部位は、前記前端の両端部位よりもシャッター芯Ｓから離間している。
【００１９】
具体的には、図２〜図４に示すように、前端が凹状に形成された底面６０は、開口幅方向両端部位の幅広部６１と、中央部位の幅狭部６２と、からなり、幅狭部６２の前端６２０は、左右の幅広部６１の前端６１０に対して後方側（外壁側）へ退避している。図７に示すように、幅狭部６２の前端６２０とシャッター芯Ｓとの距離Ｄ２は、幅広部６１の前端６１０とシャッター芯Ｓとの距離Ｄ１よりも大きい。したがって、図２に示すように、シャッターカーテン４が開口幅方向に平面視直線状に納まっている状態（設計上のスラット位置）において、幅狭部６２の前端６２０とシャッターカーテン４とのクリアランスＣ２は、幅広部６１の前端６１０とシャッターカーテン４とのクリアランスＣ１よりも大きい。
【００２０】
幅狭部６２の前端６２０とシャッター芯Ｓとの距離Ｄ２（幅狭部６２の前端６２０とシャッターカーテン４とのクリアランスＣ２）は、シャッターカーテン４が室内側へ膨出した状態であっても、膨出したシャッターカーテン２の室内側面部が幅狭部６２の前端６２０に接触することがないように設定される（図５（Ｂ）参照）。シャッターカーテン４の幅方向両端部はガイドレール２の溝内で拘束されているので、シャッターカーテン４が室内側へ膨出した場合であっても、シャッターカーテン４の幅方向両端部は設計上のスラット位置から大きく移動することはなく、したがって、幅広部６１の前端６１０とシャッター芯Ｓとの距離Ｄ１（幅広部６１の前端６１０とシャッターカーテン４とのクリアランスＣ１）を可及的に狭くすることができる。従来の内まぐさでは、前端とシャッター芯との距離Ｄ´（図８参照）は開口幅方向に一定であるため、シャッターカーテンが室内側へ膨出した場合を考慮して、距離Ｄ´を大きく設定する必要がある。
【００２１】
図５に示すように、開閉機Ｍ側に位置する一方の幅広部６１の長さ寸法Ｌ１は、開閉機Ｍの長さよりも大きく設定されている。開閉機Ｍの長さ方向一側は、ブラケット７に近接して配置されており、幅広部６１の長さ方向一側の位置と略一致しており、したがって、開閉機Ｍは、シャッターケース１の幅方向において、一方の幅広部６１に対応する幅内に納まっている。火災時において、シャッターケース１内にある要素として、開閉機Ｍが最も着火しやすく（油成分やグリースの存在が一因であると考えられる）、シャッターケース１の幅方向において、開閉機Ｍが位置する側において火炎が発生するおそれがある。また、シャッターケース１のケース上面板１０の幅方向において、開閉機Ｍの上方に位置する制振部材（可燃物）が火炎の影響で落下したり、着火したりするおそれがある。本実施形態では、内まぐさ６の開閉機Ｍが位置する側の底面６０は、幅広部６１となっており、幅広部６１の前端６１０とシャッターカーテン４とのクリアランスＣ１が狭くなっているので、仮に開閉機Ｍが着火した場合であっても、従来の内まぐさに比較して、クリアランスＣ１から室内側に火が出たり、着火した可燃物が落下したりすることを抑えることができる。
【００２２】
上述のように、本実施形態の巻取シャフト３の構成要素（内部シャフト３０、ホイール３１、中間ホイール３２、スプリング３３）は外筒３４に内装されている。火災時の熱に晒された時に、巻取シャフト３の構成要素が着火するおそれがあるが、仮に着火した場合には、外筒３４の内周面に案内されて、巻取シャフト３の長さ方向の端部から火が出ることになる。本実施形態では、内まぐさ６の底面６０において、巻取シャフト３の長さ方向の両端部に対応する部位は、幅広部６１となっており、幅広部６１の前端６１０とシャッターカーテン４とのクリアランスＣ１が狭くなっているので、仮りに巻取シャフト３の長さ方向の端部から火が出た場合であっても、従来の内まぐさに比較して、クリアランスＣ１から室内側に火が出たり、着火した可燃物が落下したりすることを抑えることができる。
【００２３】
図３、図４に示すように、内まぐさ６の底面６０の前端には立ち上がり片が形成されており、幅狭部６２の前端６２０の立ち上がり片６４の高さは、幅広部６１の前端６１０の立ち上がり片６３の高さよりも高い。立ち上がり片６４の高さ寸法は、内まぐさ６の加熱やシャッターケース１内を回って吹き出ようとする火炎流の影響で、立ち上がり片６４が室外側（溝部Ｇ側）に倒れるように変形した場合に、幅狭部６２の前端６２０とシャッターカーテン４とのクリアランスＣ２を少なくとも部分的に塞ぐことができるような寸法となっている。
【００２４】
内まぐさ６は、底面６０の後端の後側立ち上がり片６５と、後側立ち上がり片６５の上端から後方に向かって水平状に延びる水平片６６（底面６０よりも長さ寸法が小さい）と、水平片６６の先端から立ち上がる装着片６７と、底面６０の長さ方向の両端の垂下片６８と、を備えている。内まぐさ６は、底面６０の長さ方向の両端の垂下片６８が支持枠２０の上端に支持されると共に、装着片６７が螺子によって躯体（外壁Ｗ）に固定されている。
【００２５】
本実施形態では、内まぐさ６の底面６０を、中央の幅狭部６２と、両端の幅広部６１と、から形成し、底面６０の前端を、幅狭部６２の前端６２０と、幅広部６１の前端６１０と、から平面視凹状に形成したことによって、図５（Ｂ）に示すように、シャッターカーテン４の昇降動作時にシャッターカーテン４が室内側に膨出した場合であっても、内まぐさ６の前端６１０、６２０との接触が防止される。シャッターカーテン４の昇降動作時にシャッターカーテン４の幅方向両端部は左右のガイドレール２の溝内で拘束されているので、シャッターカーテン４の幅方向両端部位は図５（Ａ）に示す態様から大きく移動することがなく、火炎が発生し易い開口幅方向両端部のクリアランスＣ１を小さく設定することができ、クリアランスＣ１から室内側に火が出ることや部品（例えば、熱によりケース内面から剥がれた制振部材）の落下を可及的に防止することができる。
【符号の説明】
【００２６】
１  シャッターケース
３  巻取シャフト
６  内まぐさ
６０  底面
６１  幅広部
６１０  前端
６２  幅狭部
６２０  前端
６３  立ち上がり片
６４  立ち上がり片
【図１】
2014001537.tif 000003
【図２】
2014001537.tif 000004
【図３】
2014001537.tif 000005
【図４】
2014001537.tif 000006
【図５】
2014001537.tif 000007
【図６】
2014001537.tif 000008
【図７】
2014001537.tif 000009
【図８】
2014001537.tif 000010